(57)【要約】      （修正有）【課題】被包装物を収容する包袋の開口縁を結束した場合、開口縁の扇開を美麗に仕上げる結束装置を提供する。【解決手段】被包装物８１を収容する袋２０の開口縁を両側面から挟圧し、開口縁をその中央に向けて手繰り寄せて、ひだ６０を形成する場合、挟圧用の、一対の雄型歯２３の山頂線と、雌型歯２４の谷底線とを噛み合せにより行うが、このとき被包装物８１の存在により、開口縁の両端８２は引き下げられるので、袋２０の側縁に対してひだ６０が平行に形成されるように雄型歯２３の山頂線と、雌型歯２４の谷底線とを、袋２０の中央線を基準に逆ハの字に傾斜させて形成した。【選択図】図１
0003150178.tif 000002
【実用新案登録請求の範囲】
【請求項１】
搬送軌道に沿って運搬されかつ内部に被包装物を収容した包袋の開口縁を、前記運搬軌道におけるシールセクションにおいて加熱シールしたあと、前記シールセクション後域のひだ付けセクションにおいて前記開口縁を、一対の山形歯材の噛み合わせでもって包袋中央部に手繰り寄せ、前記開口縁に結束目的のひだを形成する装置であって、
前記一対の山形歯材の、雄側の各山頂線と、それに噛み合う雌側の各谷底線とを、前記包袋の側縁に対してひだが平行に形成されるように包袋の中央線を基準に逆ハの字形に傾けて形成した袋口結束装置。
【請求項２】
雄側の各山頂線と、雌側の各谷底線との傾き角度を、包袋の中央線を基準に７度〜９度角の範囲に設定した請求項１に記載の袋口結束装置。
【請求項３】
包袋の袋口に形成したひだを、一対の絞込みバーによって競り込んで袋口を結束する際、その直前に、袋口に対する一対の山形歯材の噛み合わせを開放させる装置を備える請求項１又は請求項２に記載した袋口結束装置。
【考案の詳細な説明】
【技術分野】
【０００１】
本考案は、被包装物を収容する包袋の開口縁を結束するために、事前に前記開口縁に多数列の意匠的ひだを形成する装置に関する。
【背景技術】
【０００２】
商品を充填した包袋の袋口を寄せ集めて結束する場合、単に袋口を寄せ集めただけでは、包装製品として意匠性に乏しいので、下記の特許文献１は、予め包袋の開口縁を両側から山形歯材で挟んで多数のひだを形成すると共に、これらひだを寄せ集めて結束したときに、包袋の構成材料であるプラスティックのスプリング性により袋口縁が自然と扇状に展開する技術を開示している。
【０００３】
前記の雄型と雌型とからなる一対の山形歯材は、山と谷とを噛み合わせて袋口に多数列のひだを折り込む構造であるが、一対の山形歯材の、山と谷との噛み合いによるひだ形成により袋口が包袋の中心に向けて手繰り寄せられるとき、袋口縁は、中央部に比較して両肩が下方に大きく引き下げられる。かかる現象は、包袋内の被包装物の抵抗が原因となっており、結束する袋口の扇の美しい展開に不利をもたらしていた。
【０００４】
【特許文献１】特開２００４−６７１００
【考案の開示】
【０００５】
本考案は、袋口の扇開を最大限に発揮させるために、搬送軌道に沿って運搬されかつ内部に被包装物を収容した包袋の開口縁を、前記運搬軌道におけるシールセクションにおいて加熱シールしたあと、前記シールセクション後域のひだ付けセクションにおいて、前記開口縁を、雄雌両型の、一対の山形歯材の噛み合わせでもって包袋中央部に手繰り寄せて、前記開口縁に結束目的のひだを形成する装置であって、前記一対の山形歯材の、雄側の各山頂線とそれに噛み合う雌側の各谷底線それぞれとを、包袋の中央線を基準に逆ハの字形に傾けたものである。
【０００６】
包袋の開口縁を、一対の山形歯材の噛み合わせでもって包袋中央部に手繰り寄せている最中、包袋内部の被包装物の抵抗により、下域よりも袋口はより大きな手繰り寄せによるひだが形成できる。つまり包袋の両側縁はこの手繰り寄せにより逆ハの字形に傾くが、前セクションにおける袋口へのシール作用による熱が残存している袋口を、結局は、逆ハの字形の山形歯材で挟圧し、ひだ折り目を形成することになる。意匠ひだを形成する包袋は一般に、袋幅が１０ｃｍから２０ｃｍの小袋において効果があり用途も多く、小袋の袋口を山形歯材により手繰り寄せた場合の、袋側縁はほぼ８度前後に傾くので、ひだを、袋側の傾きと一致させて形成することができる。
【実施例１】
【０００７】
図３において一部分を示した袋詰め包装機１０は、円形ロータ１２の周縁に、２個を１組とする多数組のクランプ１１を取り付け、各組のクランプ１１はそれぞれ包袋２０の両側縁を挟持して、前記ロータ１２でもって各包袋２０を搬送軌道に沿って運搬するようになっている。そして第１のセクションにおいて包袋２０内に被包装物が充填され、第２のシールセクションでは包袋２０の開口縁に熱を加えて加熱シールし、そのあと図示するひだ付けセクションに包袋２０を運び入れて所定の時間だけ停止する。
【０００８】
前記のひだ付けセクションには、雄型歯２３と雌型歯２４とからなる山形歯材２１が配置され、この山形歯材２１を支えるスライドブロック２６を２本のガイド棒２５が支持する。一方、駆動軸２７に固定した作動アーム２８の長穴１８が、前記のスライドブロック２６に設けたピン２９に係合しており、駆動軸２７で作動アーム２８を揺動させことにより、山形歯材２１を支えるスライドブロック２６は、２本のガイド棒２５に沿って前後動することになる。雄型歯２３と雌型歯２４との作用については後述するが、要するに山形歯材２１は、包袋２０の停止位置と、結束作業線２２との間におい往復動する構成である。
【０００９】
雄型歯２３と雌型歯２４とを支えるフレーム３１は、その正面図を図４として示し、同側面図を図５として示している。図５において、フレーム３１の下端には雌型歯２４を横長方向に固定する一方、横軸３２を介してフレーム３１に支持するレバー３３は、その端に作動板３６を介して雄型歯２３を固定し、雄型歯２３と雌型歯２４とを対向させている。またフレーム３１に上端を係合する直動型のモータ３４は、そのピストンロッドである作動棒３５の下端にレバー３３を連結しており、作動棒３５の上下動作により作動板３６は、軸３２を支点に雄型歯２３を、雌型歯２４に対して接近、離反させる。
【００１０】
図２の（A）は、雄型歯２３の平面図であり、図２の（B）は、同じ雄型歯２３の正面図であって、その正面には多数の山１５と谷１６とを交互に同ピッチで形成している。一方雌型歯２４も同じ構造であって、ただ雄型歯２３と雌型歯２４とを山半分相当を横にずらせて、一方の山と、他方の谷とが包袋２０の口縁に噛み付くように調整している。この結果、図３における山形歯材２１は、クランプ１１が支える包袋２０の袋口を銜え、矢印３０に沿って結束作業線２２まで搬出する。このとき、袋口には波型のひだが形成されことになる。
【００１１】
一方、駆動軸２７に固定した平歯車４５とかみ合う従動歯車４６は、その中心の従動軸４７が、アーム４８を介してスポット挟持爪５０を支える。駆動軸２７が時計方向に回転し、山形歯材２１が矢印３０の方向に移動するとき、逆にスポット挟持爪５０は矢印５７の方向に移動し、山形歯材２１とスポット挟持爪５０とは結束作業線２２上で一致する。
【００１２】
なお図６はスポット挟持爪５０の構成図であり、フレーム５１に軸５３を介して支持する可動爪５６を、直動モータ５４のピストンロッド５５でもって矢印５６Aとの間で操作することができるが、図４の仮想線で示すごとくスポット挟持爪５０を構成する固定爪および可動爪がともに肉薄で、作動板３６に形成した窓穴６１に突入すると共に、窓穴６１の中間に形成したスリット６２の部分において包袋２０の開口縁を挟持する。
【００１３】
図２に示す包袋の中心７０では、図４におけるスポット挟持爪５０が包袋２０を挟持することになるが、図２における中心７０両側の歯型材２３に形成された山１５の山頂線及び谷１６の谷底線を、中心７０を隔てて逆ハの字になるように、中心７０の線に対してほぼ８度角に傾斜させて形成している。従って図１の（A）のごとく雄雌両歯材２３（２４）で包袋２０の袋口を挟圧した場合、袋口にはほぼ８度角で、上に向けて末広がりの、逆ハの字のひだ６０を形成することができる。
【００１４】
ただし前記には下記の要件が加わる。すなわち図１の（A）において、袋口の両側からの雄雌両歯材２３（２４）の接近で、袋口のひだが深くなるに伴って袋幅８０は次第に狭まる。この場合、内部の被包装物８１は、袋幅を狭める力の抵抗となるため、袋口の両肩８２は下方向に引っ張られ、雄歯材２３の上面の直線と比較して理解できるように、袋口縁は屋形に変形する。そして袋口縁を雄雌両歯材２３（２４）は挟圧して溶融直後の袋口の温度を奪うため、プラスティック製の袋口には際立ったひだを形成することができる。
【００１５】
意匠ひだの形成は、主として幅２０ｃｍ以下の小袋であり、ヒダ６０の傾斜をほぼ８度角にすることで、展開図である図１（B）に示すように包袋の側縁８３と平行にひだ６０の形成ができる。このため雄雌両歯材２３（２４）による挟圧力を緩め、包袋の両側から絞り込みバー８４による結束力を作用させたとき、袋口は前記のひだでもって美麗に扇開する。
【図面の簡単な説明】
【００１６】
【図１】包装体正面図
【図２】山形歯材説明図
【図３】装置全体の平面図
【図４】山形歯材を操作する装置正面図
【図５】前図側面図
【図６】スポット挟持爪の側面図
【符号の説明】
【００１７】
１０‥‥袋詰め包装機
１５‥‥山頂線
１６‥‥谷底線
２０‥‥包袋
２１‥‥山形歯材
２３‥‥雄型歯
３４‥‥雌型歯
５０‥‥スポット挟持爪
６０‥‥ひだ
８４‥‥絞込みバー
【図１】
0003150178.tif 000003
【図２】
0003150178.tif 000004
【図３】
0003150178.tif 000005
【図４】
0003150178.tif 000006
【図５】
0003150178.tif 000007
【図６】
0003150178.tif 000008